【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を３以上備え、
前記可変表示部を変動表示した後、前記可変表示部の変動表示を停止することで表示結果を導出し、複数の可変表示部の表示結果の組み合わせに応じて入賞が発生可能なスロットマシンにおいて、
入賞の発生を許容するか否かを決定する事前決定手段と、
可変表示部における識別情報の配列位置別に滑りコマ数を規定した複数種類の滑りコマ数テーブルを記憶する滑りコマ数テーブル記憶手段と、
前記事前決定手段の決定に基づいて、前記滑りコマ数テーブルを可変表示部別に選択する滑りコマ数テーブル選択手段と、
前記複数の可変表示部の各々に対応して設けられ、可変表示部の変動表示を停止させるための停止操作手段と、
全可変表示部の変動表示を開始させた後、前記停止操作手段の停止操作が検出されたときに、停止操作に対応する可変表示部の変動表示を停止させることにより、当該可変表示部の表示結果を導出させる制御を行なう導出制御手段と、
表示結果をチェックするために用いるチェック用データを記憶するチェック用データ記憶手段とを含み、
前記チェック用データは、想定される表示結果を可変表示部における識別情報の配列位置別に示すデータであり、
前記チェック用データ記憶手段は、複数箇所の配列位置が想定表示結果として設定されたチェック用データを含む複数種類のチェック用データを記憶しており、
前記導出制御手段は、
前記停止操作検出手段によって１ゲーム開始後の第一停止操作が検出されたときには、前記第一停止操作に対応する可変表示部を対象にして、前記滑りコマ数テーブル選択手段が選択した滑りコマ数テーブルに基づいて表示結果を導出させるテーブル制御を実行し、
前記第一停止操作により可変表示部が停止した後に第二停止操作が検出された場合において、前記第一停止操作に対応する可変表示部に導出された表示結果が複数種類のチェック用データが示す想定表示結果のいずれかと一致するときには、当該チェック用データに対応付けられた前記滑りコマ数テーブルに基づいて表示結果を導出させるテーブル制御を実行し、前記第一停止操作に対応する可変表示部に導出された表示結果が複数種類のチェック用データが示す想定表示結果のいずれとも一致しないときには、前記テーブル制御を実行せずに、前記事前決定手段の決定結果と可変表示部における識別情報の配列位置別に導出優先順位を規定した優先順位テーブルとに基づいて表示結果を導出させる制御を実行する、スロットマシン。
【手続補正２】
【補正対象書類名】明細書
【補正対象項目名】０００１
【補正方法】変更
【補正の内容】
【０００１】
本発明は、各々が識別可能な複数種類の識別情報を変動表示可能な可変表示部を３以上備え、可変表示部を変動表示した後、可変表示部の変動表示を停止することで表示結果を導出し、複数の可変表示部の表示結果の組み合わせに応じて入賞が発生可能なスロットマシンに関する。
【手続補正３】
【補正対象書類名】明細書
【補正対象項目名】０００７
【補正方法】変更
【補正の内容】
【０００７】
（１）  本発明は、各々が識別可能な複数種類の識別情報を変動表示可能な可変表示部を３以上備え、前記可変表示部を変動表示した後、前記可変表示部の変動表示を停止することで表示結果を導出し、複数の可変表示部の表示結果の組み合わせに応じて入賞が発生可能なスロットマシン（スロットマシン１）において、
入賞の発生を許容するか否かを決定する事前決定手段（Ｓ２）と、
可変表示部における識別情報の配列位置別に滑りコマ数を規定した複数種類の滑りコマ数テーブルを記憶する滑りコマ数テーブル記憶手段（ＲＯＭ４１ｂ）と、
前記事前決定手段の決定に基づいて、前記滑りコマ数テーブルを可変表示部別に選択する滑りコマ数テーブル選択手段（図１８の滑りコマ数処理）と、
前記複数の可変表示部の各々に対応して設けられ、可変表示部の変動表示を停止させるための停止操作手段（ストップスイッチ８Ｌ、８Ｃ、８Ｒ）と、
全可変表示部の変動表示を開始させた後、前記停止操作手段の停止操作が検出されたときに、停止操作に対応する可変表示部の変動表示を停止させることにより、当該可変表示部の表示結果を導出させる制御を行なう導出制御手段（図１６の停止制御処理）と、
表示結果をチェックするために用いるチェック用データ（図１５のビットデータ）を記憶するチェック用データ記憶手段（ＲＯＭ４１ｂ）とを含み、
前記チェック用データは、想定される表示結果を可変表示部における識別情報の配列位置別に示すデータであり（図１５参照）、
前記チェック用データ記憶手段は、複数箇所の配列位置が想定表示結果として設定されたチェック用データを含む複数種類のチェック用データを記憶しており（図１５に示す番号０〜１１２の複数のビットデータ）、
前記導出制御手段は、
前記停止操作検出手段によって１ゲーム開始後の第一停止操作が検出されたときには、前記第一停止操作に対応する可変表示部を対象にして、前記滑りコマ数テーブル選択手段が選択した滑りコマ数テーブルに基づいて表示結果を導出させるテーブル制御を実行し（図９に示す滑りコマ数制御データＡはリールが未停止時に使用される。その結果、第一停止に対応するための停止テーブルに、滑りコマ数データが格納される。）、
前記第一停止操作により可変表示部が停止した後に第二停止操作が検出された場合において、前記第一停止操作に対応する可変表示部に導出された表示結果が複数種類のチェック用データが示す想定表示結果のいずれかと一致するときには、当該チェック用データに対応付けられた前記滑りコマ数テーブルに基づいて表示結果を導出させるテーブル制御を実行し、前記第一停止操作に対応する可変表示部に導出された表示結果が複数種類のチェック用データが示す想定表示結果のいずれとも一致しないときには、前記テーブル制御を実行せずに、前記事前決定手段の決定結果と可変表示部における識別情報の配列位置別に導出優先順位を規定した優先順位テーブルとに基づいて表示結果を導出させる制御を実行する。
【手続補正４】
【補正対象書類名】明細書
【補正対象項目名】００１０
【補正方法】変更
【補正の内容】
【００１０】
（２）  前記滑りコマ数テーブル選択手段は、１ゲームが開始してから前記停止操作手段の操作が有効化される前に、全可変表示部の各々に対応する滑りコマ数テーブルの選択を終える（図１６のＳ５、Ｓ６）。
【手続補正５】
【補正対象書類名】明細書
【補正対象項目名】００１２
【補正方法】変更
【補正の内容】
【００１２】
（３）  前記事前決定手段の決定に基づいて、可変表示部における識別情報の配列位置別に導出優先順位を規定した優先順位テーブル（図６の停止テーブルに優先値が設定されたもの）を可変表示部別に作成する優先順位テーブル作成手段（図１９の優先度処理）を含み、
前記導出制御手段は、
前記第一停止操作により可変表示部が停止した後に第二停止操作が検出されたときには、前記第一停止操作に対応する可変表示部に導出表示された表示結果に基づいて、前記テーブル制御と、前記優先順位テーブル作成手段が作成した優先順位テーブルに基づいて表示結果を導出させるコントロール制御とのうちのいずれか一方を選択的に実行し（図９に示す滑りコマ数制御データＢ、１は、第二停止に備えて使用され得る一方、コントロール制御データは変則押しの第二停止に使用されるとともに第一停止リールの停止出目に応じて、第二停止に備えて使用され得る。）、
前記第一停止操作に対応する可変表示部が特定可変表示部のときには、前記第一停止操作に対応する可変表示部に導出表示された表示結果に関わらず、前記特定可変表示部を対象にして、前記コントロール制御を常に実行する（図９に示すように、コントロール制御データは、変則押しの第２停止では必ず使用される。）。
【手続補正６】
【補正対象書類名】明細書
【補正対象項目名】００１３
【補正方法】変更
【補正の内容】
【００１３】
このような構成によれば、第一停止の際には、滑りコマ数テーブルを用いたテーブル制御によって可変表示部を停止させるため、バラエティに富んだ出目の出現が可能となる。これに対して、第二停止の際には、第一停止時の出目に応じて、テーブル制御とコントロール制御とを選択的に用いるため、第一停止時の出目がたとえば、変則押しの出目である場合には、出目のバラエティよりも記憶容量の制限を優先させてコントロール制御にする一方、第一停止時の出目が興味深いもの（ビッグボーナス図柄の出現、リーチ目を構成する図柄の出現など）であるときにはテーブル制御によりバラエティに富んだ出目の出現を可能にするなど、第一停止時の出目を考慮した制御が可能になる。その結果、可変表示部の停止制御に必要なデータ記憶容量を削減可能としながらも、表示結果を多様化させることができる。
【手続補正７】
【補正対象書類名】明細書
【補正対象項目名】００１４
【補正方法】変更
【補正の内容】
【００１４】
また、第一停止可変表示部が特定可変表示部のときにはコントロール制御を採用することによって第一停止可変表示部が特定可変表示部であったときの出目の多様性をある程度制限することにより、その分を第一停止可変表示部が特定可変表示部以外の場合を想定したときの出目の種類を増やす方に割り振ることができる。このため、全体としては、極力、停止制御に必要な記憶容量を削減しつつも、ゲームにおいて効果的なシーンにおける出目の多様性を確保できる。
【手続補正８】
【補正対象書類名】明細書
【補正対象項目名】００１５
【補正方法】変更
【補正の内容】
【００１５】
（４）  前記導出制御手段は、前記停止操作手段の停止操作が検出されたとき、既に変動表示を停止している可変表示部に前記事前決定手段が発生を許容した入賞に対応する表示結果が導出されていない場合でも、前記停止操作に対応する可変表示部において前記事前決定手段が発生を許容した入賞に対応する表示結果を導出するように予め定めた最大滑りコマ数の範囲で可変表示部の変動表示を停止させる（第一停止あるいは第二停止時に、当選役に対応する図柄が停止しなくても、次のリールを停止させる際には、当選役に対応する図柄を引込む制御を実行する。）。
【手続補正９】
【補正対象書類名】明細書
【補正対象項目名】０４４４
【補正方法】変更
【補正の内容】
【０４４４】
（Ｌ）  前述の実施の形態におけるスロットマシンは、以下の構成を備えたものでもある。
（ａ） 本発明は、予め定めた配列順で複数種類の図柄を変動させる複数のリール（リール２Ｌ、２Ｃ、２Ｒ）を有する可変表示装置を備え、１ゲームに対して賭数を設定することによりゲームが開始可能となるとともに、全リールで図柄の変動が停止して図柄の表示結果が導出されることにより１ゲームが終了し、導出された図柄の表示結果の組み合わせに応じて入賞が発生可能とされたスロットマシン（スロットマシン１）であって、
入賞の発生を許容するか否かを決定する事前決定手段（Ｓ２）と、
リールにおける図柄の配列位置別に滑りコマ数を規定した複数種類の滑りコマ数テーブルを記憶する滑りコマ数テーブル記憶手段（ＲＯＭ４１ｂ）と、
前記事前決定手段の決定に基づいて、前記滑りコマ数テーブルをリール別に選択する滑りコマ数テーブル選択手段（図１８の滑りコマ数処理）と、
前記複数のリールの各々に対応して設けられ、リールにおける図柄の変動を停止させるための停止操作手段（ストップスイッチ８Ｌ、８Ｃ、８Ｒ）と、
前記停止操作手段の停止操作を検出する停止操作検出手段（Ｓ６、Ｓ１１、Ｓ１４）と、
全リールで図柄の変動を開始させた後、前記停止操作手段の停止操作が検出されたときに、停止操作に対応するリールの図柄の変動を停止させることにより、当該リールの図柄の表示結果を導出させる制御を行なう導出制御手段（図１６の停止制御処理）と、
表示結果の導出状態をチェックするために用いるチェック用データ（図１５のビットデータ）を記憶するチェック用データ記憶手段（ＲＯＭ４１ｂ）とを含み、
前記チェック用データは、想定される表示結果をリールにおける図柄の配列位置別に示すデータであり（図１５参照）、
前記チェック用データ記憶手段は、複数箇所の配列位置が想定表示結果として設定されたチェック用データを含む複数種類のチェック用データを記憶しており（図１５に示す番号０〜１１２の複数のビットデータ）、
前記導出制御手段は、前記停止操作検出手段によって１ゲーム開始後の第一停止操作が検出されたときには、前記第一停止操作に対応するリールを対象にして、前記滑りコマ数テーブル選択手段が選択した滑りコマ数テーブルに基づいて図柄の表示結果を導出させるテーブル制御を実行可能であり（図９に示す滑りコマ数制御データＡはリールが未停止時に使用される。その結果、第一停止に対応するための停止テーブルに、滑りコマ数データが格納される。）、
前記滑りコマ数テーブル選択手段は、前記第一停止操作によりリールが停止した後は、表示結果の導出状態と前記チェック用データとを比較して、表示結果の導出状態と前記チェック用データが示す想定表示結果とが一致するときに、当該チェック用データに対応付けられた前記滑りコマ数テーブルを選択し（図１８のＳ５３〜Ｓ５５）、
前記導出制御手段は、前記第一停止操作によりリールが停止した後に第二停止操作が検出されたときには、前記第二停止操作に対応するリールを対象にして、前記滑りコマ数テーブル選択手段が新たに選択した滑りコマ数テーブルに基づいて図柄の表示結果を導出させるテーブル制御を実行可能である（図９の滑りコマ数制御データＡ，Ｂ，１，２，３のいずれかに基づいて作成された停止テーブルに基づく停止制御）。
（ｂ） 前記滑りコマ数テーブル選択手段は、１ゲームが開始してから前記停止操作手段の操作が有効化される前に、全リールの各々に対応する滑りコマ数テーブルの選択を終える（図１６のＳ５、Ｓ６）。
（ｃ） 前記事前決定手段の決定に基づいて、リールにおける図柄の配列位置別に導出優先順位を規定した優先順位テーブル（図６の停止テーブルに優先値が設定されたもの）をリール別に作成する優先順位テーブル作成手段（図１９の優先度処理）を含み、
前記導出制御手段は、
前記第一停止操作によりリールが停止した後に第二停止操作が検出されたときには、前記第一停止操作に対応するリールに導出表示された図柄の表示結果に基づいて、前記テーブル制御と、前記優先順位テーブル作成手段が作成した優先順位テーブルに基づいて図柄の表示結果を導出させるコントロール制御とのうちのいずれか一方を選択的に実行し（図９に示す滑りコマ数制御データＢ、１は、第二停止に備えて使用され得る一方、コントロール制御データは変則押しの第二停止に使用されるとともに第一停止リールの停止出目に応じて、第二停止に備えて使用され得る。）、
前記第一停止操作に対応するリールが特定リールのときには、前記第一停止操作に対応するリールに導出表示された図柄の表示結果に関わらず、前記特定リールを対象にして、前記コントロール制御を常に実行する（図９に示すように、コントロール制御データは、変則押しの第２停止では必ず使用される。）。
（ｄ） 前記導出制御手段は、前記停止操作手段の停止操作が検出されたとき、既に図柄の変動を停止しているリールに前記事前決定手段が発生を許容した入賞に対応する表示結果が導出されていない場合でも、前記停止操作に対応するリールにおいて前記事前決定手段が発生を許容した入賞に対応する表示結果を導出するように予め定めた最大滑りコマ数の範囲でリールの変動を停止させる（第一停止あるいは第二停止時に、当選役に対応する図柄が停止しなくても、次のリールを停止させる際には、当選役に対応する図柄を引込む制御を実行する。）。
（Ｍ）  なお、今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。